(57)【要約】【課題】レーザ変調タイミング・パルスの指示に対するレーザ駆動電流のパルス位置のずれを防止し、安定した記録特性を得ることができる。【解決手段】レーザパワー制御回路２１はレーザパワー指示信号に基づいてレーザ駆動電流指示信号を制御する。記録パルス発生回路２３は記録データとレーザ変調タイミング設定データに基づいてレーザ変調タイミング・パルスを出力する。そして、レーザ駆動回路２２におけるレーザ変調タイミング・パルスとレーザ駆動電流のパルス位置の誤差を補正データ記憶装置２８に記憶しておく。そして、システム・コントローラ２７は、誤差にしたがって修正したレーザ変調タイミング設定データを記録パルス発生回路２３に送ることにより、レーザ駆動電流のパルス位置を所望のタイミングに補正する。【選択図】        図１
2004310954.tif 000002
【特許請求の範囲】
【請求項１】
記録情報信号に応じて照射するレーザ光のパワーを切り替えることにより、光ディスクへの記録を行うディスク記録部を有し、
上記ディスク記録部は、
上記レーザ光の光源である半導体レーザと、
上記半導体レーザが所定の光パワーで発光するように，レーザ駆動電流指示信号を制御するレーザパワー制御回路と、
上記記録情報信号に応じて適切な記録パルスを生成し、レーザ変調タイミング・パルスを出力する記録パルス発生回路と、
上記レーザ駆動電流指示信号と上記レーザ変調タイミング・パルスに従ってレーザ駆動電流を生成するレーザ駆動回路と、
上記レーザ駆動回路におけるレーザ変調タイミング・パルスとレーザ駆動電流とのパルス位置の誤差を記憶する補正データ記憶手段とを備え、
上記補正データ記憶手段に記憶されている誤差を参照してレーザ変調タイミング・パルスのパルス位置を修正することにより、レーザ駆動電流において所望のパルス位置を得る、
ことを特徴とする光ディスク装置。
【請求項２】
上記レーザ駆動回路を構成するスイッチング回路のスイッチング電流振幅に応じてレーザ変調タイミング・パルスの位置を修正することを特徴とする請求項１記載の光ディスク装置。
【請求項３】
上記レーザ駆動電流指示信号をモニタするレーザ駆動電流指示信号モニタ回路を備え、上記レーザ駆動電流指示信号からスイッチング電流振幅を求めることを特徴とする請求項２記載の光ディスク装置。
【請求項４】
上記レーザ駆動回路を構成するスイッチング回路の電流源に流れる電流値をモニタするスイッチング電流源モニタ回路を備え、上記スイッチング電流源モニタ回路によりスイッチング電流振幅を求めることを特徴とする請求項２記載の光ディスク装置。
【請求項５】
レーザ駆動電流をモニタするレーザ駆動電流モニタ回路と、レーザ駆動電流とディスク照射パワーの関係式を記憶する出射効率記憶手段とを備え、レーザ駆動電流とディスク照射パワーの関係式を測定して上記出射効率記憶手段に記憶しておき、上記レーザパワー制御回路に与えられる設定パワーから上記関係式にしたがってスイッチング電流振幅を求めることを特徴とする請求項２記載の光ディスク装置。
【請求項６】
上記スイッチング電流振幅を記録動作中に監視することにより、動作中においても上記レーザ変調タイミング・パルスのパルス位置の修正を行うことを特徴とする請求項３記載の光ディスク装置。
【請求項７】
上記スイッチング電流振幅を記録動作中に監視することにより、動作中においても上記レーザ変調タイミング・パルスのパルス位置の修正を行うことを特徴とする請求項４記載の光ディスク装置。
【請求項８】
電源投入時あるいはアイドリング状態において、レーザ駆動電流とディスク照射パワーの関係式を測定し、上記出射効率記憶手段の内容を更新していくことを特徴とする請求項５記載の光ディスク装置。
【請求項９】
記録情報信号に応じて照射するレーザ光のパワーを切り替えることにより、光ディスクへの記録を行うディスク記録部を有し、
上記ディスク記録部は、
上記レーザ光の光源である半導体レーザと、
上記半導体レーザが所定の光パワーで発光するように，レーザ駆動電流指示信号を制御するレーザパワー制御回路と、
上記記録情報信号に応じて適切な記録パルスを生成し、レーザ変調タイミング・パルスを出力する記録パルス発生回路と、
上記レーザ駆動電流指示信号と上記レーザ変調タイミング・パルスに従ってレーザ駆動電流を生成するレーザ駆動回路と、
上記レーザ駆動回路におけるレーザ変調タイミング・パルスとレーザ駆動電流とのパルス位置の誤差を記憶する補正データ記憶手段とを備えた光ディスク装置の制御方法であって、
上記補正データ記憶手段に記憶されている誤差を参照してレーザ変調タイミング・パルスのパルス位置を修正することにより、レーザ駆動電流において所望のパルス位置を得る、
ことを特徴とする光ディスク装置の制御方法。
【請求項１０】
上記レーザ駆動回路を構成するスイッチング回路のスイッチング電流振幅に応じてレーザ変調タイミング・パルスの位置を修正することを特徴とする請求項９記載の光ディスク装置の制御方法。
【請求項１１】
上記レーザ駆動電流指示信号をモニタするレーザ駆動電流指示信号モニタ回路を備え、上記レーザ駆動電流指示信号からスイッチング電流振幅を求めることを特徴とする請求項１０記載の光ディスク装置の制御方法。
【請求項１２】
上記レーザ駆動回路を構成するスイッチング回路の電流源に流れる電流値をモニタするスイッチング電流源モニタ回路を備え、上記スイッチング電流源モニタ回路によりスイッチング電流振幅を求めることを特徴とする請求項１０記載の光ディスク装置の制御方法。
【請求項１３】
レーザ駆動電流をモニタするレーザ駆動電流モニタ回路と、レーザ駆動電流とディスク照射パワーの関係式を記憶する出射効率記憶手段とを備え、レーザ駆動電流とディスク照射パワーの関係式を測定して上記出射効率記憶手段に記憶しておき、上記レーザパワー制御回路に与えられる設定パワーから上記関係式にしたがってスイッチング電流振幅を求めることを特徴とする請求項１０記載の光ディスク装置の制御方法。
【請求項１４】
上記スイッチング電流振幅を記録動作中に監視することにより、動作中においても上記レーザ変調タイミング・パルスのパルス位置の修正を行うことを特徴とする請求項１１記載の光ディスク装置の制御方法。
【請求項１５】
上記スイッチング電流振幅を記録動作中に監視することにより、動作中においても上記レーザ変調タイミング・パルスのパルス位置の修正を行うことを特徴とする請求項１２記載の光ディスク装置の制御方法。
【請求項１６】
電源投入時あるいはアイドリング状態において、レーザ駆動電流とディスク照射パワーの関係式を測定し、上記出射効率記憶手段の内容を更新していくことを特徴とする請求項１３記載の光ディスク装置の制御方法。
【発明の詳細な説明】
【０００１】
【発明の属する技術分野】
本発明は、記録情報信号に応じて照射する光パワーを切り替えることによって光ディスクへの記録を行う光ディスク装置及びその制御方法に関するものであり、特に記録パルスのパルス位置の精度を向上させることにより、記録特性の向上に寄与するものである。
【０００２】
【従来の技術】
従来より、光ディスクに照射するレーザビームの最適化を行う光ディスク装置が種々提案されている。（例えば、特許文献１参照）。
【０００３】
【特許文献１】
特許第２７０７７７４号公報
この種の光ディスク装置における従来技術として、（１）マルチパルス記録とレーザ駆動電流波形の生成と、（２）レーザ駆動回路の回路構成とスイッチング遅れについて述べる。
（１）マルチパルス記録とレーザ駆動電流波形の生成
光ディスクへの記録において、高密度記録を実現するため、例えば図６に示すようなマルチパルス記録方式が用いられている。図示のように、この例では、光パワーとして、記録ピークパワーＰｐ、消去パワーＰｅ、冷却パワーＰｃの３値のパワーをもつ。また、１つのパルス幅はチャネルクロック周期の半分程度である。そして、記録したいマーク長に合わせてパルス数を合わせて出力する。
【０００４】
図７は、図６の記録パルスを生成する方法の一例を示している。まず、図７（ａ）は、このような記録パルスを生成するためのレーザ駆動電流波形を示している。記録ピークパワーＰｐに対するレーザ駆動電流はＩｐ、消去パワーＰｅに対するレーザ駆動電流はＩｅ、冷却パワーＰｃに対するレーザ駆動電流はＩｃとなっている。
そして、図７（ａ）の駆動電流波形は、図７（ｂ）〜（ｄ）の３つのチャンネルの合成によって作られる。すなわち、図７（ｂ）のＣｏｏｌチャンネルでは電流Ｉｃの一定電流を生成し、図７（ｃ）のＥｒａｓｅ  チャンネルでは電流振幅（Ｉｅ−Ｉｃ）  をスイッチングし、図７（ｄ）のＰｅａｋチャンネルでは電流振幅（Ｉｐ−Ｉｃ）  をスイッチングする。これら３つの電流を加算することにより、図７（ａ）に示したレーザ駆動電流波形を得る。
【０００５】
（２）レーザ駆動回路の回路構成とスイッチング遅れ
このようなレーザ駆動電流は、例えば図８に示すような回路で実現される。
この回路は、Ｐｅａｋ、Ｅｒａｓｅ  、Ｃｏｏｌの３つのスイッチング回路１１１、１１２、１１３を有し、各スイッチング回路１１１、１１２、１１３は差動スイッチング・ペアトランジスタＴｒ１〜Ｔｒ６と電流源１０７〜１０９で構成される。Ｐｅａｋチャンネルについては、電流源１０７はレーザ駆動電流指示信号ＳＩｐ  にて制御され、電流（Ｉｐ−Ｉｃ）  を流す。差動スイッチング回路１１１にはレーザ変調タイミング・パルスＴＰｐ  が加えられることにより、電流（Ｉｐ−Ｉｃ）  がＯＮ／ＯＦＦされ、トランジスタＴｒ２のコレクタ電流として出力される。なお、Ｅｒａｓｅ  チャンネル、Ｃｏｏｌチャンネルのスイッチング回路１１２、１１３についても同様である。
３つのチャンネルから出力されるコレクタ電流は、カレント・ミラー回路１１４に出力される。そして、トランジスタＴｒ７のコレクタ端で加算され、Ｔｒ７＝Ｔｒ８のカレント・ミラーによって極性を反転した後、レーザ駆動電流となって半導体レーザＬＤに供給される。
【０００６】
ところが、このようなトランジスタによるスイッチング動作は、ターン・オン時間に比べてターン・オフ時間が長くなる傾向がある。その結果、レーザ駆動電流の立上りが遅れてしまう現象があった。このような立上り遅れは、図９に示すように、スイッチング電流振幅（図８の、Ｉｐ−Ｉｃ  、Ｉｅ−Ｉｃ  、Ｉｃに相当）によって変化する。
また、その具体的な例を図１０に示す。これは図６に示したような記録パルスの記録マーク後端部分であり、消去パワーＰｅをＰｅ１  〜Ｐｅ４  の４通りに変化させたものである。図中、最もＰｅが低いＰｅ１  と最もＰｅが高いＰｅ４  について、スイッチング振幅（Ｐｅ−Ｐｃ）の５０％を横切るタイミングを示した。この例では、Ｐｅ１  とＰｅ４  では、Ｐｅの立上りに２．４ｎｓの差がみられており、この分だけマーク後端の位置が変化しうることになる。ここで、２．４ｎｓという値は、Ｂｌｕ−ｒａｙ  ディスク（ｘ１）の場合チャネルクロック周期Ｔｗ＝１５．１５ｎｓであるから、検出窓幅の１５％に相当し、エラーレートの増大など記録特性の劣化が容易に予想される。
レーザ駆動電流の立上り遅れを、複数の光学系・複数のスイッチング電流振幅について測定した結果を図１１に示す。図１１は、縦軸に立ち上がり遅れ時間、横軸にスイッチング電流振幅を示している。このように、立上り遅れはスイッチング電流振幅に依存している。
【０００７】
ところで、記録パワーが同一であっても、スイッチング電流振幅は同じとは限らない。それを図１２を用いて説明する。図１２は縦軸に光パワー、横軸にレーザ駆動電流を示し、レーザ出射パワーとディスク照射パワーの２つの特性を示している。
そして、ディスク照射光のスイッチング振幅ΔＰ（ＤＩＳＣ）  は、以下の式で表される。
ΔＰ（ＤＩＳＣ）  ＝  ΔＩ（ＬＤ）  ×ηＬＤ×ＣＥ
ここで、ΔＩ（ＬＤ）  はレーザ駆動電流のスイッチング電流振幅を表し、ηＬＤはレーザの微分効率を表す。また、ＣＥは光路効率（レーザ出射パワーとディスク照射パワーの比）を表す。ηＬＤやＣＥは個体差が大きい。さらに、ηＬＤは温度変化や経時変化をもつ。したがって、ディスク照射パワーにおけるスイッチング振幅が同じであっても、レーザ駆動電流のスイッチング電流振幅は個体によって異なってしまう。その結果、たとえ同じ記録パワーであっても、個体によってパルス位置が異なることなり、記録特性のバラツキを生じる。
また、メディア自身の記録感度の違いに応じて、最適な記録パワーは異なる。これにより、やはり記録パルス位置ずれを生じ、記録特性を劣化させることとなる。
【０００８】
【発明が解決しようとする課題】
しかしながら、上述のようにレーザ駆動電流のパルス位置がレーザ変調タイミング・パルスで指示したタイミングからずれてしまうと、このパルス位置の誤差により本来の記録パルスとの差異が生じてしまい、エラーレートの増大などの記録特性の劣化につながる。
【０００９】
そこで本発明の目的は、レーザ変調タイミング・パルスの指示に対するレーザ駆動電流のパルス位置のずれを防止し、安定した記録特性を得ることができる光ディスク装置及びその制御方法を提供することにある。
【００１０】
【課題を解決するための手段】
本発明は前記目的を達成するため、記録情報信号に応じて照射するレーザ光のパワーを切り替えることにより、光ディスクへの記録を行うディスク記録部を有し、上記ディスク記録部は、上記レーザ光の光源である半導体レーザと、上記半導体レーザが所定の光パワーで発光するように，レーザ駆動電流指示信号を制御するレーザパワー制御回路と、上記記録情報信号に応じて適切な記録パルスを生成し、レーザ変調タイミング・パルスを出力する記録パルス発生回路と、上記レーザ駆動電流指示信号と上記レーザ変調タイミング・パルスに従ってレーザ駆動電流を生成するレーザ駆動回路と、上記レーザ駆動回路におけるレーザ変調タイミング・パルスとレーザ駆動電流とのパルス位置の誤差を記憶する補正データ記憶手段とを備え、上記補正データ記憶手段に記憶されている誤差を参照してレーザ変調タイミング・パルスのパルス位置を修正することにより、レーザ駆動電流において所望のパルス位置を得ることを特徴とする。
【００１１】
また本発明は、記録情報信号に応じて照射するレーザ光のパワーを切り替えることにより、光ディスクへの記録を行うディスク記録部を有し、上記ディスク記録部は、上記レーザ光の光源である半導体レーザと、上記半導体レーザが所定の光パワーで発光するように，レーザ駆動電流指示信号を制御するレーザパワー制御回路と、上記記録情報信号に応じて適切な記録パルスを生成し、レーザ変調タイミング・パルスを出力する記録パルス発生回路と、上記レーザ駆動電流指示信号と上記レーザ変調タイミング・パルスに従ってレーザ駆動電流を生成するレーザ駆動回路と、上記レーザ駆動回路におけるレーザ変調タイミング・パルスとレーザ駆動電流とのパルス位置の誤差を記憶する補正データ記憶手段とを備えた光ディスク装置の制御方法であって、上記補正データ記憶手段に記憶されている誤差を参照してレーザ変調タイミング・パルスのパルス位置を修正することにより、レーザ駆動電流において所望のパルス位置を得ることを特徴とする。
【００１２】
本発明の光ディスク装置及びその制御方法では、レーザ駆動回路におけるレーザ変調タイミング・パルスとレーザ駆動電流とのパルス位置の誤差を記憶する補正データ記憶手段を参照してレーザ変調タイミング・パルスのパルス位置を修正することにより、レーザ駆動電流において所望のパルス位置を得ることから、レーザ変調タイミング・パルスの指示に対するレーザ駆動電流のパルス位置のずれを防止し、安定した記録特性を得ることができる。
また、本発明では、上述した従来例のように、レーザ駆動電流のパルス位置誤差がスイッチング電流振幅に依存する場合には、スイッチング電流振幅に応じてレーザ変調タイミング・パルスの位置を修正することにより、レーザ駆動電流において所望のパルス位置に補正することができる。
ここで、スイッチング電流振幅を知る方法としては、レーザ駆動電流指示信号から求める、スイッチング回路の電流源の値をモニタする、レーザ駆動電流とディスク照射パワーの関係を記憶しておき、レーザパワー駆動回路にレーザパワー指示信号によって与えられる設定パワーとの差から求めるといった方法がある。その結果、レーザ微分効率や光学系光路効率がばらついても、レーザ駆動電流においては所望のパルス位置を得ることができる。
さらに、スイッチング電流振幅を記録動作中に常時監視することにより、レーザの温度特性などの影響を排除することができる。また、装置の電源投入時あるいはアイドリング状態においてレーザ駆動電流とディスク照射パワーの関係式を測定し更新しておくことによって、経時変化の影響を排除することができる。
【００１３】
【発明の実施の形態】
以下、本発明による光ディスク装置及びその制御方法の実施の形態例について説明する。
本実施の形態例は、レーザ駆動電流のパルス位置の誤差を補正データ記憶手段に記憶しておき、指示するレーザ変調タイミング・パルスを予め修正しておくことにより、パルス位置の誤差を補正し、本来の記録パルスを得ることができ、安定な記録特性を実現するものである。
【００１４】
まず、本発明の第１の実施の形態例について説明する。この第１の実施の形態例は、本発明の基本形となるものである。
図１は、本発明の第１の実施の形態例による光ディスク装置の構成例を示すブロック図である。
図１において、光源である半導体レーザ１１からの出射光は、コリメータレンズ１２で平行光となり、ビームスプリッター１３に入射する。ここで、ビームスプリッター１３を反射した光はモニタ用受光素子１４に入射し、その出力からレーザパワー・モニタ信号ＭＰを得る。
一方、ビームスプリッター１３を透過した光は、対物レンズ１５によりスピンドル・  モータ３によって回転する光ディスク２に集光する。そして、この光ディスク２からの反射光は、対物レンズ１５によって再び平行光となり、ビームスプリッター１３によって反射し、集光レンズ１６を通った後、信号用受光素子１７に入射する。
信号用受光素子１７の出力電流は前置増幅器２４で電圧に変換されて、情報信号とサーボ誤差信号が生成される。そのうちサーボ誤差信号は、サーボ回路２５に送られて、フォーカシング／トラッキング・サーボ等が行われる。また、情報信号は、再生信号処理回路２６に送られ、この再生信号処理回路２６にて再生データが復元される。
【００１５】
また、レーザパワー制御回路２１には、レーザパワー・モニタ信号Ｍが入力され、システム・コントローラ２７から指示されるレーザパワー指示信号通りのパワーで半導体レーザ１１が発光するよう、レーザ駆動電流指示信号を制御する。図６に示したような３値の記録パルスの場合、このように、３つのレーザパワー指示信号ＳＰｐ、  ＳＰｅ、  ＳＰｃ  、及びレーザ駆動電流指示信号ＳＩｐ、  ＳＩｅ、  ＳＩｃ  が扱われる。一方、記録パルス発生回路２３には、システム・コントローラ２７から、記録データとレーザ変調タイミング設定データ（いわゆる「記録ストラテジー」）が入力され、それをもとにレーザ変調タイミング・パルスＴＰｐ、  ＴＰｅ、  ＴＰｃ  が出力される。
レーザ駆動回路２２は、レーザ駆動電流指示信号ＳＩｐ、  ＳＩｅ、  ＳＩｃ  にしたがった電流を生成し、レーザ変調タイミング・パルスにしたがってこれらの電流をＯＮ／ＯＦＦする。その結果、レーザ駆動電流Ｉ（ＬＤ）  が生成される。なお、システム・コントローラ２７には、補正データ記憶装置２８が接続されている。
【００１６】
このような構成において、レーザ駆動回路２２におけるレーザ変調タイミング・パルスとレーザ駆動電流のパルス位置の誤差を補正データとして、補正データ記憶装置２８に記憶しておく。
そして、システム・コントローラ２７では、この補正データにしたがって修正したレーザ変調タイミング設定データを記録パルス発生回路２３に送ることにより、レーザ駆動電流のパルス位置を所望のタイミングに補正することができる。
【００１７】
次に、本発明の第２の実施の形態例について説明する。
図２は、本発明の第２の実施の形態例による光ディスク装置の構成例を示すブロック図である。図１に示す第１の実施の形態例との違いは、レーザ駆動電流指示信号ＳＩｐ、  ＳＩｅ、  ＳＩｃ  をシステム・コントローラ２７に送る点である。また、補正データ記憶装置２８には、図１１に示したようなスイッチング電流振幅とパルス位置誤差の関係が記憶されている。
この構成において、システム・コントローラ２７は、入力されたレーザ駆動電流指示信号ＳＩｐ、  ＳＩｅ、  ＳＩｃ  からスイッチング電流振幅を知ることができる。そのスイッチング電流振幅と補正データから、レーザ駆動回路２２におけるレーザ変調タイミング・パルスとレーザ駆動電流のパルス位置の誤差を知ることができる。その誤差の値に応じて、レーザ変調タイミング設定データを修正してから記録パルス発生回路２３に送ることにより、レーザ駆動電流のパルス位置を所望のタイミングに補正することができる。
【００１８】
次に、本発明の第３の実施の形態例について説明する。
図３は、本発明の第３の実施の形態例による光ディスク装置の構成例を示すブロック図である。図１に示す第１の実施の形態例との違いは、レーザ駆動回路２２がスイッチング回路の電流源モニタを備えており、そこから出力されるスイッチング回路電流源モニタ信号Ｍ（ＩＳＷ）を、システム・コントローラ２７に送る点である。また、補正データ記憶装置２８には、図１１に示したようなスイッチング電流振幅とパルス位置誤差の関係が記憶されている。
この構成において、システム・コントローラ２７は、入力されたスイッチング回路電流源モニタ信号Ｍ（ＩＳＷ）からスイッチング電流振幅を知ることができる。そのスイッチング電流振幅と、補正データからレーザ駆動回路２２におけるレーザ変調タイミング・パルスとレーザ駆動電流のパルス位置の誤差が分かる。
そこで、この誤差の値に応じて、レーザ変調タイミング設定データを修正してから記録パルス発生回路２３に送ることにより、レーザ駆動電流のパルス位置を所望のタイミングに補正することができる。
【００１９】
次に、本発明の第４の実施の形態例について説明する。
図４は、本発明の第４の実施の形態例による光ディスク装置の構成例を示すブロック図である。図１に示す第１の実施の形態例との違いは、レーザ駆動回路２２がレーザ駆動電流モニタ回路を備えており、さらに、出射効率記憶装置２９を備える点である。レーザ駆動電流モニタ回路から出力されるレーザ駆動電流モニタ信号Ｍ（ＩＬＤ）は、システム・コントローラ２７に送られる。また、補正データ記憶装置２８には、図１１に示したようなスイッチング電流振幅とパルス位置誤差の関係が記憶されている。
上述した従来技術の（２）で説明したように、ディスク照射光のスイッチング振幅ΔＰ（ＤＩＳＣ）  は、以下の式で表される。
ΔＰ（ＤＩＳＣ）  ＝  ΔＩ（ＬＤ）  ×ηＬＤ×ＣＥ
すなわち、ηＬＤ×ＣＥを測定して出射効率記憶装置２９に記憶させておくことにより、スイッチング電流振幅はシステム・コントローラ２７がレーザパワー制御回路２１に指示するレーザパワー（設定パワー）から求めることができる。そのスイッチング電流振幅と補正データからレーザ駆動回路２２におけるレーザ変調タイミング・パルスとレーザ駆動電流のパルス位置の違いが分かる。その値に応じて、レーザ変調タイミング設定データを修正してから記録パルス発生回路２３に送ることにより、レーザ駆動電流のパルス位置を所望のタイミングに補正することができる。
ところで、図４の構成によれば、例えば図５に示した方法でηＬＤ×ＣＥを測定することができる。すなわち、図５において、縦軸はディスク照射パワーを示し、横軸はレーザ駆動電流を示しており、ここではレーザパワー指示信号に対応する複数の出射パワーＰ１、  Ｐ２、  Ｐ３、……でレーザを発光させて、各パワーにおけるレーザ駆動電流Ｉ１、  Ｉ２、  Ｉ３、……をレーザ駆動電流モニタ信号Ｍ（ＩＬＤ）から測定する。そして、測定した点を直線近似すると、その傾きがηＬＤ×ＣＥとなる。
【００２０】
以上述べたように、本発明の実施の形態例では、レーザ駆動電流のパルス位置がレーザ変調タイミング・パルスで指示したタイミングから誤差をもつ場合においても、この誤差を補正データ記憶手段に記憶しておき、レーザ変調タイミング・パルスを予め修正することにより、この誤差を補正することから、所望の記録パルスを得ることができ、安定な記録特性を実現することができる。
さらに、パルスの立上り遅れ時間がスイッチング電流振幅に依存する場合においても、スイッチング電流振幅を知ることにより、レーザ微分効率や光学系光路効率のバラツキの下でも、所望の記録パルス幅を得ることができる。
また、スイッチング電流振幅を電源投入時や記録動作中に測定することにより、レーザや光学系の温度特性・経時変化に対しても所望の記録パルスを得ることができる。
なお、以上は本発明の具体例を示したものであり、これらは本発明の細部を限定するものではなく、適宜変形が可能であることは勿論である。
【００２１】
【発明の効果】
以上説明したように本発明の光ディスク装置及びその制御方法では、レーザ駆動回路におけるレーザ変調タイミング・パルスとレーザ駆動電流とのパルス位置の誤差を記憶する補正データ記憶手段を参照し、この誤差に基づいてレーザ変調タイミング・パルスのパルス位置を修正することにより、レーザ駆動電流において所望のパルス位置を得ることから、レーザ変調タイミング・パルスの指示に対するレーザ駆動電流のパルス位置のずれを防止し、安定した記録特性を得ることができる効果がある。
【図面の簡単な説明】
【図１】本発明の第１の実施の形態例による光ディスク装置の構成例を示すブロック図である。
【図２】本発明の第２の実施の形態例による光ディスク装置の構成例を示すブロック図である。
【図３】本発明の第３の実施の形態例による光ディスク装置の構成例を示すブロック図である。
【図４】本発明の第４の実施の形態例による光ディスク装置の構成例を示すブロック図である。
【図５】図４に示す光ディスク装置におけるηＬＤ×ＣＥの測定法を示す説明図である。
【図６】従来のマルチパルス記録方式のレーザ発光波形例を示す説明図である。
【図７】従来のマルチパルス記録方式におけるレーザ駆動電流の生成方法を示す説明図である。
【図８】従来のレーザ駆動回路の回路構成の一例を示す回路図である。
【図９】従来のスイッチング回路の立上り遅れのスイッチング電流振幅依存性を示す説明図である。
【図１０】立上り遅れのスイッチング電流振幅依存性の実測例を示す説明図である。
【図１１】複数の光学系及び複数のスイッチング電流振幅について測定した立上り遅れのスイッチング電流振幅依存性の実測例を示す説明図である。
【図１２】半導体レーザのＩ−Ｌ特性及び光学系の光路効率の例を示す説明図である。
【符号の説明】
１……光ヘッド、２……光ディスク、３……スピンドル・モータ、１１……半導体レーザ、１２……コリメータレンズ、１３……ビームスプリッタ、１４……モニタ用受光素子、１５……対物レンズ、１６……集光レンズ、１７……信号用受光素子、２１……レーザパワー制御回路、２２……レーザ駆動回路、２３……記録パルス発生回路、２４……前置増幅器、２５……サーボ回路、２６……再生信号処理回路、２７……システム・コントローラ、２８……補正データ記憶装置、２９……出射効率記憶装置。
【図１】
2004310954.tif 000003
【図２】
2004310954.tif 000004
【図３】
2004310954.tif 000005
【図４】
2004310954.tif 000006
【図５】
2004310954.tif 000007
【図６】
2004310954.tif 000008
【図７】
2004310954.tif 000009
【図８】
2004310954.tif 000010
【図９】
2004310954.tif 000011
【図１０】
2004310954.tif 000012
【図１１】
2004310954.tif 000013
【図１２】
2004310954.tif 000014